(57)【要約】【課題】第三者に知られにくく安全で即事性及び利便性に優れたエレベーター呼び登録装置の提供。【解決手段】上記課題は、画像認識用カメラ３を備え、前記カメラ３により入力される画像情報を画像認識装置４により認識し、前記画像情報に対する行き先階情報１２を保存しているメモリ５を参照し、前記行き先階情報１２をエレベーターの運行を制御するエレベーター制御装置７に送信し呼び登録を行うエレベーター呼び登録装置において、バーコードや人の顔などではなく、カメラ付き携帯電話２にて取得した任意の画像情報１ａを前記カメラ付き携帯電話２の操作画面に表示し、前記画像認識用カメラ３に入力することで呼び登録を行い、画像登録装置６により現地で容易に画像情報の更新及び新規登録を可能とすることにより解決できる。【選択図】図１
2005272100.tif 000002
【特許請求の範囲】
【請求項１】
画像認識用カメラと、前記カメラにより入力される画像情報を画像認識装置により認識し、前記画像情報に対する行き先階情報を保存しているメモリを参照し、前記行き先階情報をエレベーターの運行を制御するエレベーター制御装置に送信し呼び登録を行うエレベーター呼び登録装置において、バーコードや人の顔などではなく、カメラ付き携帯電話にて取得した任意の画像情報を前記カメラ付き携帯電話の操作画面に表示し、前記画像認識用カメラに入力することで呼び登録を行うエレベーター呼び登録装置。
【請求項２】
請求項１のエレベーター呼び登録装置において、前記呼び登録のために入力された画像を新たに登録、及び更新することが可能な画像登録装置を備えたエレベーター呼び登録装置。
【発明の詳細な説明】
【技術分野】
【０００１】
本発明は、エレベーターの呼び登録を画像入力により登録する機能を備えたエレベーター呼び登録装置に関するものである。
【背景技術】
【０００２】
従来、防犯上の理由から居住者以外のエレベーター利用を制限する目的で、テンキーなどによるエレベーターの呼び登録方法が一般的に知られている（特許文献１参照）。
【０００３】
また、住居者が所有する鍵の形状を画像認識し、エレベーターの呼び登録及び利用を制限する方法（特許文献２参照）や、利用者が所有するプレートに記載されている文字コードやバーコードを認識し、呼び登録する方法もある（特許文献３参照）。
【０００４】
エレベーターに関する以外の技術としては、インターネットを介し携帯電話にバーコード等を表示させ、個人認証ツールとして利用する技術がある（特許文献４参照）。
【特許文献１】特開平０７−２２８４３６号公報（段落０００５）
【特許文献２】特開平０７−２０６３０３号公報（段落０００７〜０００８）
【特許文献３】特開２００３−３１２９５０公報（段落０００６〜０００８）
【特許文献４】特開２００３−３０５９１公報（段落００１０）
【発明の開示】
【発明が解決しようとする課題】
【０００５】
前記特許文献１のような番号入力では第三者に入力場面を見られた場合、簡単に操作されてしまうことがある。また、前記特許文献２及び特許文献３のような鍵及びプレートという個人認証可能と明らかに判断できるものを紛失した場合にも第三者に利用されたり複製されたりする危険がある。
【０００６】
前記特許文献４のように入館や利用のたびに逐次バーコードをインターネット等利用した認証情報のやりとりでは、電波の遮蔽状態などの環境や、サービスプロバイダ機器の稼動状態などによる阻害要因が多く、緊急時などにサービスが利用できないなど即事性及び利便性に欠ける。また、遠隔にて伝送される情報が盗聴され第三者に情報が読み取られる危険性も生じる。
【０００７】
本発明は上記課題を考慮し、第三者に知られにくく安全で即事性及び利便性に優れたエレベーター呼び登録装置を提供することにある。
【課題を解決するための手段】
【０００８】
上記課題は、画像認識用カメラと、前記カメラにより入力される画像情報を画像認識装置により認識し、前記画面情報に対する行き先階情報を保持しているメモリを参照し、前記行き先階情報をエレベーターの運行を制御するエレベーター制御装置に送信し呼び登録を行うエレベーター呼び登録装置において、バーコードや人の顔などではなく、カメラ付き携帯電話にて取得した任意の画像情報を前記カメラ付き携帯電話の操作画面に表示し、前記画像認識用カメラに入力することで呼び登録を行い、画像登録装置により現地で容易に画像情報の更新及び新規登録を可能とすることにより解決できる。
【発明の効果】
【０００９】
本発明は、現在普及率の高いカメラ付き携帯電話にて取得した任意の画像により、エレベーターの呼び登録を可能とし、容易にエレベーターの呼び登録可能な画像を変更でき、前記携帯電話を紛失した場合においてもエレベーターの呼び登録可能な画像を判断しにくく安全性を確保することで、非居住者によるエレベータ利用を確実に防止できるとともに、行き先階を自動設定できる使い勝手の良いエレベータ呼び登録装置を提供できる。
【発明を実施するための最良の形態】
【００１０】
以下、本発明の実施形態を図に基づき説明する。
【００１１】
図１は、本発明の一実施形態を示すシステム構成図である。図２，図３は，図１に基づく処理を説明するフローチャートである。
【００１２】
図１に示す実施形態は、カメラ付き携帯電話２と、エレベーターホールや入館口等に設置された画像用入力用カメラ３と、この画像入力用カメラ３より入力された画像を認識する画像認識装置４と、画像情報をエレベーター行き先階と関連付けた情報を管理するメモリ５と、画像をエレベーター呼び登録可能な情報として登録する画像登録装置６と、エレベーターの運行を制御するエレベーター制御装置７で構成される。
【００１３】
メモリ５は、画像情報とそれを区分する画像情報NO.の対応情報１０と、画像情報NO.と行き先階との対応情報１１があり、１ａなどの入力された画像に対する行き先階の情報を保持する。
【００１４】
エレベーター制御装置７は、ホール呼び釦８やかご呼び釦９により行き先階の判定をしている。エレベーターホールには、ホール呼び釦８のほかに現在のエレベーターのかご位置を表示可能なインジケーター８ａを備える。
【００１５】
また、エレベーター制御装置７は、画像認識装置４がメモリ５を参照した結果得られる行き先階情報を基にホール呼び釦８やかご呼び釦９により操作された状態と同様にエレベーターを動作させる。
【００１６】
ここで、図１，図２，図３に基づき実施形態の動作を説明する。
【００１７】
カメラ付き携帯電話２により取得された任意の画像（例えば風景）１（１ａ）をカメラ付き携帯電話２の画面に表示させる。この画像１ａはエレベーターホール等に設置された画像入力用カメラ３を経由し画像認識装置４に入力される（Ｓ１）。画像認識装置４は、入力された画像情報１ａを比較用データに変換し（Ｓ２）、メモリ５に登録されている画像情報に該当する情報がないか検索する（Ｓ３）。入力した画像１ａが登録情報と一致した場合、エレベーター行き先階（呼び情報）を抽出し（Ｓ４）、エレベーター制御装置７に呼び登録階情報を送信する（Ｓ５）。エレベーター制御装置７は、まずエレベーターホールの呼びを登録し（Ｓ６）、かごをエレベーターホールへと直行させる。エレベーターホール到着後、前記にて送信された行き先階の呼びを登録し（Ｓ７）エレベーターを動作させる。
【００１８】
次に、画像登録要求操作が行われた（Ｓ８）場合について説明する。この画像登録要求操作は、エレベーターのホール呼び釦８を特殊操作（例えば呼び釦を所定時間同時押しするなど）し（Ｓ８）、エレベーター制御装置７から画像登録装置６へと画像情報の登録要求を行う（Ｓ９−１）。要求があった場合、画像登録装置６は、入力された画像情報１ａを画像情報とそれを区分する画像情報NO.の対応情報１０に登録する（Ｓ９−４）。次に画像登録装置６はエレベーター制御装置７に対し、登録した画像情報１ａに対応する行き先階の情報を要求する（Ｓ９−５）。エレベーター制御装置７はインジケーター８ａに対し表示要求を表す表示を行う（Ｓ９−６）。利用者はインジケーター８ａに表示要求が表示された後、登録したい行き先階床数と同数回、ホール呼び釦８を押す（Ｓ９−７）。エレベーター制御装置７は、ホール呼び釦８が押されたことを感知し、押された回数をインジケータ８ａに表示させる（Ｓ９−８）。
【００１９】
エレベーター制御装置７は、ホール呼び釦８が所定時間押されなくなったことを感知し（Ｓ９−９）、押された回数＝登録したい行き先階床数の情報を画像登録装置６に対し送信する（Ｓ９−１１）。
【００２０】
画像登録装置６は、行き先階床数の情報を前記画像情報１ａとそれを区分する画像情報NO.の対応情報１０に示される番号を結び付け、画像情報NO.と行き先階との対応情報１１に新たに登録する（Ｓ９−１２）。
【００２１】
画像情報入力時（Ｓ９−２）、既に登録済みである画像であった場合（Ｓ９−３）、利用者は、画像情報に対する行き先階床の分ホール呼び釦を押す（Ｓ９−１３）ことで新規画像を入力可能にする（Ｓ９−１５〜Ｓ９−１６）。
【００２２】
操作が正しくなかった場合や登録要求がなかった場合、エレベーターの動作は行われない（Ｓ１０）。
【図面の簡単な説明】
【００２３】
【図１】本発明の一実施形態を示し、カメラ付き携帯電話を用いた画像入力によるエレベータの呼び登録装置のシステム構成図である。
【図２】本発明の一実施形態を示し、エレベーター呼び登録の手順を説明するフローチャートである。
【図３】図２のフローチャートの一部ステップ（Ｓ９）を詳細に示したフローチャートである。
【符号の説明】
【００２４】
１  エレベーター呼び登録の暗証となる基画像
１ａ  上記基画像を一旦カメラ付き携帯電話に取り込んだ後の画像
２  カメラ付き携帯電話
３  カメラ  
４  画像認識装置
５  メモリ
６  画像登録装置
７  エレベーター制御装置
８  ホール呼び釦
８ａ  ホールインジケーター
９  かご呼び釦
１０  画像情報とそれを区分する画像情報NO.の対応情報
１１  画像情報NO.と行き先階との対応情報
１２  メモリに保存される全情報
【図１】
2005272100.tif 000003
【図２】
2005272100.tif 000004
【図３】
2005272100.tif 000005